(57)【要約】【課題】本発明は、冷房運転時における吹出口近傍の結露の発生を抑制させることができ信頼性を向上させ、ディフューザの効果により性能向上を図る空気調和機の提供を目的とする。【解決手段】本発明の空気調和機は、熱交換器５において熱交換して吹出口２ｃから吹き出すための気流を発生させるファン６の下流に配置されたリアガイダ７及びスタビライザ１１の下流端において、連続するように設けられ、第１の羽根８ａ、第２の羽根８ｂの回動部分に対向して配置された断面円弧状のくぼみを有し、くぼみの下方に伝熱遮断隙間が設けられた軸受部を備えている。【選択図】図１
2015055419.tif 000002
【特許請求の範囲】
【請求項１】
空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、前記リアガイダの下流において回動可能に設けられ、前記リアガイダに沿って流れてきた空気の流れる方向を制御する第１の羽根と、前記スタビライザの下流において回動可能に設けられ、前記スタビライザに沿って流れてきた空気の流れる方向を制御する第２の羽根とを備え、前記リアガイダと前記第１の羽根との間、および／または、前記スタビライザと前記第２の羽根との間には、結露防止機構が設けられたことを特徴とする空気調和機。
【請求項２】
前記結露防止機構は、前記リアガイダの下流端に連続して設けられ、前記第１の羽根における上流端となる回動部分に所定隙間を有して対向して配置された軸受部に設けられた伝熱遮断隙間、または、前記スタビライザの下流端に連続して設けられ、前記第２の羽根における上流端となる回動部分に所定隙間を有して対向して配置された軸受部に設けられた伝熱遮断隙間であることを特徴とする請求項１に記載の空気調和機。
【請求項３】
前記結露防止機構は、前記リアガイダの下流端に連続して位置して前記第１の羽根の上流端となる回動部分に嵌り合う軸受部、または、前記スタビライザの下流端に連続して位置して前記第２の羽根の上流端となる回動部分に嵌り合う軸受部であることを特徴とする請求項１に記載の空気調和機。
【請求項４】
前記結露防止機構は、前記リアガイダの最下流端近傍に設けられ、前記リアガイダと前記第１の羽根との所定隙間より上方に空気の流れを案内する段差、または、前記スタビライザの最下流端近傍に設けられ、前記スタビライザと前記第２の羽根との所定隙間より下方に空気の流れを案内する段差であることを特徴とする請求項１に記載の空気調和機。
【請求項５】
前記第１の羽根、および／または、前記第２の羽根の長手方向両端には、前記吹出口から吹き出された空気が羽根の長手方向へ流れないようにする側壁が設けられたことを特徴とする請求項１に記載の空気調和機。
【発明の詳細な説明】
【技術分野】
【０００１】
本発明は、室内の空調を行うための空気調和機に関し、特に空気調和機における吹出口の結露防止と送風性能向上に関するものである。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口に収納されるよう構成されたものがある（例えば、特許文献１参照。）。
【先行技術文献】
【特許文献】
【０００５】
【特許文献１】特許第４１１０８６３号公報
【発明の概要】
【発明が解決しようとする課題】
【０００６】
空気調和機の室内機において、熱交換された空気は空気を送り出すためのファンの下流側に設けられたリアガイダに沿って流れて、リアガイダの下流端に回動可能に設けられた上下風向変更羽根により吹出口から吹き出される構成である。上下風向変更羽根は、室内に吹き出すための吹出口を開閉するとともに、空気の吹き出し方向を大きく上下に変更する機能を有する。
【０００７】
上記のように構成された従来の空気調和機においては、上下風向変更羽根がリアガイダの下流端に回動可能に設けられているため、リアガイダに沿って流れてきた空気が、リアガイダと上下風向変更羽根との間の隙間に流れ込み、冷房運転時にはその隙間に流れ込んだ冷気により吹出口近傍に結露が生じるという問題を有していた。
【０００８】
また、上下風向変更羽根がスタビライザの下流端に回動可能に設けられた場合には、同様にスタビライザに沿って流れてきた空気が、スタビライザと上下風向変更羽根との間の隙間に流れ込み、冷房運転時にはその隙間に流れ込んだ冷気により吹出口近傍に結露を生じさせるという問題を有していた。
【０００９】
また、従来の上下風向変更羽根では、ディフューザの効果が得られないため、性能向上
が得られないという問題を有していた。
【００１０】
本発明においては、前記のように従来の空気調和機において問題となっている冷房運転時における吹出口近傍の結露の発生を抑制させることができ信頼性を向上させ、ディフューザの効果により性能向上を図る空気調和機の提供を目的とする。
【課題を解決するための手段】
【００１１】
前記目的を達成するために、本発明に係る空気調和機においては、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、前記リアガイダの下流において回動可能に設けられ、前記リアガイダに沿って流れてきた空気の流れる方向を制御する第１の羽根と、前記スタビライザの下流において回動可能に設けられ、前記スタビライザに沿って流れてきた空気の流れる方向を制御する第２の羽根とを備え、前記リアガイダと前記第１の羽根との間、および／または、前記スタビライザと前記第２の羽根との間には、結露防止機構が設けられたものである。
【００１２】
これにより、この空気調和機においては、羽根の回動性を確保しつつ、冷房運転時にリアガイダと第１の羽根の上流端との間の隙間や、スタビライザと第２の羽根の上流端との間の隙間に冷気が流れ込んで生じる吹出口近傍の結露の発生を抑制することができる。
【発明の効果】
【００１３】
本発明によれば、吹出口近傍における冷房運転時の結露の発生を抑制させることができる信頼性の高い空気調和機を提供することができる。また、上下風向変更羽根がディフューザの機能を有することになり、性能向上が得られる。
【図面の簡単な説明】
【００１４】
【図１】図１は本発明に係る実施の形態１の空気調和機における室内機の概略構成を示す縦断面図である。
【図２】図２は実施の形態１の空気調和機における空調運転時の上下風向変更羽根の動作例を示す縦断面図である。
【図３】図３は実施の形態１の空気調和機における空調運転時の上下風向変更羽根の動作例を示す縦断面図である。
【図４】図４は実施の形態１の空気調和機における結露防止機構を拡大して示す縦断面図である。
【図５】図５は本発明に係る実施の形態２の空気調和機における結露防止機構を拡大して示す縦断面図である。
【図６】図６は実施の形態３の空気調和機における結露防止機構を拡大して示す縦断面図である。
【図７】図７は本発明に係る実施の形態４の空気調和機における結露防止機構を拡大して示す縦断面図である。
【図８】図８は実施の形態５の空気調和機における上下風向変更羽根の上羽根を示す斜視図である。
【発明を実施するための形態】
【００１５】
本発明に係る第１の態様の空気調和機は、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置された
スタビライザと、前記リアガイダの下流において回動可能に設けられ、前記リアガイダに沿って流れてきた空気の流れる方向を制御する第１の羽根と、前記スタビライザの下流において回動可能に設けられ、前記スタビライザに沿って流れてきた空気の流れる方向を制御する第２の羽根とを備え、前記リアガイダと前記第１の羽根との間、および／または、前記スタビライザと前記第２の羽根との間には、結露防止機構が設けられたものである。
【００１６】
このように構成された本発明に係る第１の態様の空気調和機は、冷房運転時において吹出口近傍の結露の発生を抑制させることができ、信頼性の高い空気調和機となる。また、上下風向変更羽根がディフューザの機能を有することになり、性能向上が得られる。
【００１７】
本発明に係る第２の態様の空気調和機において、前記の第１の態様における結露防止機構は、前記リアガイダの下流端に連続して設けられ、前記第１の羽根における上流端となる回動部分に所定隙間を有して対向して配置された軸受部に設けられた伝熱遮断隙間、または、前記スタビライザの下流端に連続して設けられ、前記第２の羽根における上流端となる回動部分に所定隙間を有して対向して配置された軸受部に設けられた伝熱遮断隙間である。
【００１８】
このように構成された本発明に係る第２の態様の空気調和機は、リアガイダの部分と第２の軸受との間の熱の伝導を伝熱遮断隙間により防止できる構成を有し、冷房運転時において冷気により冷やされるリアガイダ及びスタビライザの冷たさが吹出口近傍へ伝わるのを防ぎ、吹出口近傍、特に吹出口下縁の結露の発生を抑制させることができる。
【００１９】
本発明に係る第３の態様の空気調和機において、前記の第１の態様における結露防止機構は、前記リアガイダの下流端に連続して位置して前記第１の羽根の上流端となる回動部分に嵌り合う軸受部、または、前記スタビライザの下流端に連続して位置して前記第２の羽根の上流端となる回動部分に嵌り合う軸受部である。
【００２０】
このように構成された本発明に係る第１の態様の空気調和機においては、羽根の回動性を確保しつつリアガイダと羽根の上流端との間及びスタビライザと羽根の上流端との間に生じる隙間を解消し、冷房運転時にリアガイダと羽根の上流端との間及びスタビライザと羽根の上流端との間の隙間に冷気が流れ込んで生じる吹出口近傍の結露の発生を抑制することができ、信頼性の高い空気調和機とすることができる。
【００２１】
本発明に係る第４の態様の空気調和機において、前記の第１の態様における結露防止機構は、前記リアガイダの最下流端近傍に設けられ、前記リアガイダと前記第１の羽根との所定隙間より上方に空気の流れを案内する段差、または、前記スタビライザの最下流端近傍に設けられ、前記スタビライザと前記第２の羽根との所定隙間より下方に空気の流れを案内する段差である。
【００２２】
このように構成された本発明に係る第４の態様の空気調和機では、リアガイダ及びスタビライザの最下流端近傍に設けられた段差より上流側に形成された第１の段差吹出面によって、第１の段差吹出面から吹き出された空気が、羽根とリアガイダとの隙間及び、羽根とスタビライザとの隙間より主流（中央部）を流れる。したがって、冷房運転時において、送風効率を低下させることなく、リアガイダと羽根との間の隙間及び、スタビライザと羽根との間の隙間に空気が流入することを抑制でき、吹出口近傍での結露の発生を防止することができる。
【００２３】
本発明に係る第５の態様の空気調和機において、第１の羽根、および／または、前記第２の羽根の長手方向両端には、前記吹出口から吹き出された空気が羽根の長手方向へ流れないようにする側壁が設けられた構成としてある。
【００２４】
これにより、羽根をリアガイダ、スタビライザの延長として利用出来て送風性能を向上させることが出来る上、リアガイダ、スタビライザから羽根に流れ出た空気が、空気調和機本体の側壁がある部分より下流まできても羽根に側壁が設けられているため、横方向への拡散がなく風量が低下しないですみ、さらなる送風性能の向上が可能となる。
【００２５】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２６】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。
【００２７】
図１は、本発明に係る実施の形態１の空気調和機における室内機の概略構成を示す縦断面図である。図１は実施の形態１の空気調和機における空調運転停止時の状態を示している。
【００２８】
図１に示すように、室内機１は、空気の取入口となる前面開口部２ａと上面開口部２ｂ、および熱交換された空気を吹き出す吹出口２ｃとを有する本体２、及び本体２の前面開口部２ａを開閉する可動式の前面パネル３を備えている。本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。
【００２９】
実施の形態１の空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根８が設けられている。さらに、吹出口２ｃの内部には空気の吹き出し方向を左右に変更することができる左右風向変更手段である左右風向変更羽根９が設けられている。
【００３０】
図１に示す空調運転停止時の状態においては、前面パネル３が本体２に密着して前面開口部２ａを閉じるように構成されており、上下風向変更羽根８が吹出口２ｃの内部に収納されて吹出口２ｃを閉鎖するよう構成されている。
【００３１】
上下風向変更羽根８は、第１の羽根の一例である下羽根８ａと、この下羽根８ａの上方に設けられた第２の羽根の一例である上羽根８ｂとを備えている。上下風向変更羽根８は、下羽根８ａと上羽根８ｂとが協働して、吹出口２ｃから吹き出される空気の吹き出し方向を制御している。下羽根８ａは、下羽根駆動軸の回動動作により、所定角度だけ回動するよう構成されている。上羽根８ｂも同様に、上羽根駆動軸の回動動作により、所定角度だけ回動するよう構成されている。
【００３２】
左右風向変更羽根９は、複数枚の羽根で構成されており、吹出口２ｃから吹き出される
空気の吹き出し方向を左右方向に変更するよう制御されている。
【００３３】
空気調和機が空調運転を開始すると、前面パネル３が本体２から所定距離だけ離れる離動作を行い前面開口部２ａが開放されるとともに、上下風向変更羽根８が開動作を行い吹出口２ｃが開放される。このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００３４】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、ファン６の外側外周に設けられたリアガイダ７の曲面に沿って流れて、吹出口２ｃから吹き出される。
【００３５】
吹出口２ｃから吹き出される空気の吹き出し方向は、上下風向変更羽根８及び左右風向変更羽根９により制御されている。上下風向変更羽根８及び左右風向変更羽根９の角度調整等の動作は、当該空気調和機を制御する制御装置（図示省略）により制御されている。［上下風向変更羽根の動作］
図１から図３は、実施の形態１の空気調和機における空調運転時の上下風向変更羽根８の動作例を示しており、主流を形成する下羽根８ａと上羽根８ｂとの回動動作を示す縦断面図である。上下風向変更羽根８は、下羽根８ａを駆動させる駆動軸の回動により、下羽根８ａとともに上羽根８ｂが連動して回動する構成である。実施の形態１の空気調和機における上下風向変更羽根８は、リアガイダ７およびスタビライザ１１の下流側端部（下流端）の吹出口２ｃに設けられて、吹出口２ｃから吹き出される空気をスムーズに所望の領域に到達させることができ、下羽根８ａはリアガイダ７を延長した位置にあり、上羽根８ｂはスタビライザ１１を延長した位置にあり、吹出口２ｃからの空気に対して高い整流効果を発揮するディフューザとしての機能を有する。
【００３６】
図１は、下羽根８ａにおける吹出面８ａａが、リアガイダ７の案内面７ａにおける下流側端部の面と、実質的に連続するように直線的に配置され、上羽根８ｂにおける吹出面８ｂｂが、スタビライザ１１の案内面１１ａにおける下流側端部の面と、実質的に連続するように直線的に配置された動作例を示している。図１に示す動作例においては、吹出口２ｃからの空気が斜め下方向に吹き出されており、最大風量時の状態を示している。このときの上下風向変更羽根８がディフーザとしての機能を最大に発揮している。なお、下羽根８ａの吹出面８ａａとは、図１における上向き面であり、上羽根８ｂの吹出面８ｂｂとは、図１における下向き面であり、吹出口２ｃから吹き出される空気の主流が沿って流れる面である。
【００３７】
図２は、下羽根８ａの吹出面８ａａが、リアガイダ７の案内面７ａにおける下流側端部の面に対して、鈍角を有して配置され、上羽根８ｂの吹出面８ｂｂが、スタビライザ１１の案内面１１ａにおける下流側端部の面に対して、鈍角を有して配置された動作例であり、吹出口２ｃからの空気の吹き出し方向が、略水平方向である。図２は、一般的な冷房運転時の動作例である。
【００３８】
図３は、下羽根８ａの吹出面８ａａが、リアガイダ７の案内面７ａの吹き出し方向、即ち案内面の７ａに沿って延びる吹出口側の延長線Ｇの方向より、鉛直下方向側を向いており、上羽根８ｂの吹出面８ｂｂが、スタビライザ１１案内面１１ａの吹き出し方向、即ち案内面の１１ａに沿って延びる吹出口側の延長線Ｇの方向より、鉛直下方向側を向いており、吹出口２ｃからの空気の吹き出し方向が、略下向き方向である。図５は、通常暖房運
転時の動作例である。
［結露防止機構］
上記のように構成された実施の形態１の空気調和機には、上下風向変更羽根８の下羽根８ａとリアガイダ７との間、上羽根８ｂとスタビライザ１１との間には結露防止機構が設けられている。両者とも同様な構成であるため、下羽根８ａとリアガイダ７との間での結露防止機構についてのみ説明する。
【００３９】
図４は、下羽根８ａとリアガイダ７との間に設けた結露防止機構を拡大して示す縦断面図である。図４に示すように、リアガイダ７の案内面７ａの下流側端部には、下羽根８ａに対して隙間を有して配置された軸受部１３が連続して設けられ、固着されている。この軸受部１３は、断面が円弧状であるくぼみ形状を有する第１の軸受１３ａと、第１の軸受１３ａの下方に設けられた第２の軸受１３ｂとにより構成されている。第１の軸受１３ａと第２の軸受１３ｂとの間にはスリット（伝熱遮断隙間）１６が形成されている。なお、実施の形態１の構成においては、第１の軸受１３ａと第２の軸受１３ｂが一体成形されている例で示すが、別部材で構成してもよい。
【００４０】
上下風向変更羽根８の羽根である下羽根８ａにおける上流端となる回動部分である駆動軸部８ａｂは、下羽根８ａを回動させる駆動軸に直交する断面形状が当該駆動軸を中心とする円弧状の外観を有している。この駆動軸部８ａｂは、第１の軸受１３ａのくぼみ形状のくぼみ面内に収納されるように配設されている。すなわち、第１の軸受１３ａのくぼみ面と下羽根８ａの駆動軸部８ａｂの外面とは僅かの所定の隙間を有して配設されており、第１の軸受１３ａのくぼみ面に対向して下羽根８ａの駆動軸部８ａｂが設けられている。
【００４１】
上記のように、第１の軸受１３ａの断面円弧状部分の下方に第２の軸受１３ｂが設けられており、第１の軸受１３ａの下端部分と第２の軸受１３ｂの上端部分との間にはスリット（伝熱遮断隙間）１６が形成されている。即ち、第２の軸受１３ｂは、伝熱遮断隙間１６を介して第１の軸受１３ａの下方に配置されている。したがって、第１の軸受１３ａと第２の軸受１３ｂとの間の熱伝導が生じにくい構成を有している。
【００４２】
さらに、図４に示すように、第２の軸受１３ｂは、第１の軸受１３ａの断面円弧状部分におけるくぼみ面の下端から下方へ延びる鉛直線Ｅより背面側（図４における右側であり、室内機１の壁側）にオフセットした位置に配設されている。下羽根８ａの回動部分である駆動軸部８ａｂに対向するよう配設された軸受部１３におけるスリット１６から下方に延びる面である対向面１３ｂａは、略鉛直面で構成されている。したがって、下羽根８ａの駆動軸部８ａｂと軸受部１３との間の隙間１２に入り込んだ気流は、第１の軸受１３ａの断面円弧状部分のくぼみ面に沿って流れて、第２の軸受１３ｂに対しては直接的に接触しない構成となっている。
【００４３】
図４に示すように、第１の軸受１３ａと第２の軸受１３ｂとの内側空間（保持空間）１４には、水分保持手段である水分吸着剤１５、例えば不識布が設けられている。実施の形態１の空気調和機において、下羽根８ａとリアガイダ７との間に設けた結露防止機構としては、リアガイダ７に続く第１の軸受１３ａと、第１の軸受１３ａに対して伝熱遮断隙間１６を介して配設された第２の軸受１３ｂと、保持空間１４内の水分吸着剤１５とが含まれる。
【００４４】
次に、上記のように構成された結露防止機構における作用について説明する。実施の形態１の空気調和機における空調運転時（冷房運転時）において、ファン６の下流側に配置されたリアガイダ７の案内面７ａに沿ってファン６からの空気が流れる。リアガイダ７に沿って流れた空気は、上下風向変更羽根８の下羽根８ａの吹出面８ａａに案内されて、吹出口２ｃから吹き出される。このときの吹き出される空気の流れを図６における白抜き矢
印にて示す。上記のように、ファン６からの空気がリアガイダ７から下羽根８ａの吹出面８ａａに流れるとき、下羽根８ａにおける回動部分である駆動軸部８ａｂとリアガイダ７に設けられた軸受部１３との間の隙間１２には、僅かではあるが空気（冷気）が流れ込む（図４において、実線矢印にて示す）。
【００４５】
上記のように下羽根８ａの駆動軸部８ａｂと軸受部１３との間の隙間１２に冷気が流れ込んだとき、第１の軸受１３ａの断面円弧状部分のくぼみ面に沿って冷気が流れて、下羽根８ａの下側に排出される。第２の軸受１３ｂは第１の軸受１３ａの断面円弧状部分における円弧面（くぼみ面）の下端から下方へ延びる鉛直線Ｅより背面側のオフセット位置に配設されているため、第１の軸受１３ａの断面円弧状部分のくぼみ面に沿って流れる冷気は、第２の軸受１３ｂに対して実質的に直接的に接触することがなく、下羽根８ａの下側に排出される。
【００４６】
また、実施の形態１の構成においては、第１の軸受１３ａの下端部分と第２の軸受１３ｂの上端部分との間にはスリット（伝熱遮断隙間）１６が形成されているため、第１の軸受１３ａと第２の軸受１３ｂとの間で熱が伝わりにくい構成である。したがって、冷房運転時において、リアガイダ７に沿って流れる冷気により冷やされたリアガイダ７と第１の軸受１３ａが、第２の軸受１３ｂを冷やしにくく、室内に露出している外観を構成する本体２に接合された第２の軸受１３ｂにおける結露が防止されている。
【００４７】
さらに、実施の形態１の空気調和機における結露防止機構において、スリット上部に結露した水分はスリット１６を通って保持空間１４内に流れ込んで、保持空間１４内の水分保持手段としての水分吸着剤１５により水分が吸着され滴下しない構成である。
【００４８】
以上のように、本発明に係る実施の形態１の空気調和機は、冷房運転時の結露の発生を抑制することができる構成を有するとともに、ファン６からリアガイダ７に案内されて送られてきた空気を上下風向変更羽根８によりスムーズに所望の方向に吹き出すことができ、送風性能が向上した信頼性の高い構成を有する。
【００４９】
なお、上羽根８ｂとスタビライザ１１との間の結露防止機構については説明を省略したが、上羽根８ｂとスタビライザ１１との間の結露防止機構は、下羽根８ａとリアガイダ７との間の結露防止機構とは、上下対称に設けられている。すなわち、上羽根８ｂとスタビライザ１１との間の軸受部１３は、スタビライザ１１の案内面１１ａの下流側端部に、上羽根８ｂに対して隙間を有して配置されている。そして、軸受部１３は、断面が円弧状であるくぼみ形状を有する第１の軸受１３ａと、第１の軸受１３ａの上方に設けられた第２の軸受１３ｂとにより構成されている。また、第２の軸受１３ｂは、第１の軸受１３ａの断面円弧状部分におけるくぼみ面の前端から前方へ延びる水平線より上方側にオフセットした位置に配設されている。また、下羽根８ａの回動部分である駆動軸部８ａｂに対向するよう配設された軸受部１３におけるスリット１６から前方に延びる面である対向面は、略水平面で構成されている。これによって、第１の軸受１３ａの断面円弧状部分のくぼみ面に沿って流れる冷気は、第２の軸受１３ｂに対して実質的に直接的に接触することがなく、上羽根８ｂの前方側に排出される。
【００５０】
（実施の形態２）
次に、本発明に係る実施の形態２の空気調和機について図５を用いて説明する。図５は、実施の形態２の空気調和機における下羽根とリアガイダとの間には設けた結露防止機構を拡大して示す縦断面図である。上羽根とスタビライザとの間には設けた結露防止機構については、同じ機能・機構であるため説明を省略する。また、実施の形態２の空気調和機において、前述の実施の形態１と実質的に同一の機能、動作を示す部分には同一番号を付与し、その説明は省略する。また、実施の形態２の空気調和機における基本動作は、実施
の形態１の空気調和機における基本動作と同様であるので、実施の形態２の説明においては実施の形態１と異なる点である結露防止機構について説明する。
【００５１】
図５に示すように、リアガイダ７の案内面７ａの下流側端部（下流端）に、断面が円弧状であるくぼみ形状が形成された第１の軸受１３ａが設けられている。この第１の軸受１３ａのくぼみ面には、僅かの隙間を有して下羽根８ａの回動部分である駆動軸部８ａｂが配設されている。また、第１の軸受１３ａの断面円弧状部分の下方には、スリット（伝熱遮断隙間）１６を介して第２の軸受１３ｂが設けられている。第２の軸受１３ｂは、第１の軸受１３ａの断面円弧状部分におけるくぼみ面の下端から下方へ延びる鉛直線Ｅより背面側（図５における右側であり、室内機１の壁側）にオフセットした位置に配設されている。
【００５２】
前述の実施の形態１の空気調和機においては、下羽根８ａの回動部分である駆動軸部８ａｂに対向するように配設された軸受部１３におけるスリット１６から下方に延びる面である対向面１３ｂａが略鉛直面で構成されていた。しかし、実施の形態２においては、スリット１６から下方に延びる面である対向面１３ｂｂが斜行した面（斜行面）で形成されており、その斜行面が前面下側を向くように構成されている。すなわち、下羽根８ａの駆動軸部８ａｂと軸受部１３との間の隙間１２に入り込んだ気流が、第１の軸受１３ａの断面円弧状部分のくぼみ面に沿って流れて、第２の軸受１３ｂに対して確実に直接的に接触しない構成となっている。
【００５３】
また、図５に示すように、実施の形態２における結露防止機構には、第１の軸受１３ａと第２の軸受１３ｂとの内側空間（保持空間）１４に水分保持手段である水分吸着剤１５、例えば不識布が設けられている。したがって、実施の形態２の空気調和機においても、下羽根８ａとリアガイダ７との間には設けた結露防止機構としては、リアガイダ７に続く第１の軸受１３ａと、第１の軸受１３ａに対してスリット（伝熱遮断隙間）１６を有して配設された第２の軸受１３ｂと、保持空間１４内の水分吸着剤１５が含まれる。
【００５４】
以上のように、本発明に係る実施の形態２の空気調和機は、冷房運転時の結露の発生を抑制させることができる構成を有するとともに、ファン６からリアガイダ７を介して送られてきた空気を上下風向変更羽根８によりスムーズに所望の方向に吹き出すことができ、上下風向変更羽根８がディフーザとしての機能を発揮する送風性能が向上した信頼性の高い装置である。
【００５５】
本発明における結露防止機構としては、少なくともリアガイダ７の案内面７ａの下端に、下羽根８ａの回動部分が収納される断面が円弧状であるくぼみ形状が形成された第１の軸受１３ａと、第１の軸受１３ａの断面円弧状部分の下方に配置され、伝熱遮断隙間（例えば、スリット１６）を介して配設された第２の軸受１３ｂとを有する構成である。
【００５６】
また、本発明における結露防止機構においては、下羽根８ａとリアガイダ７との間の隙間１２に入り込んだ冷気により結露した水分を保持する機構として、水分吸着剤１５を設けた例について説明したが、本発明はこのような構成に限定されるものではなく、例えば、下羽根８ａの回動部分に対向する領域の一部に溝などのくぼみを設けて一時的に水分を保持する構成としてもよい。
【００５７】
なお、上羽根８ｂとスタビライザ１１との間の結露防止機構については説明を省略したが、上羽根８ｂとスタビライザ１１との間の結露防止機構は、下羽根８ａとリアガイダ７との間の結露防止機構とは、実施の形態１と同様に、上下対称に設けられている。
【００５８】
（実施の形態３）
実施の形態３の空気調和機には、上下風向変更羽根８の下羽根８ａとリアガイダ７との間に結露防止機構が設けられており、以下その結露防止機構について図６を用い説明していく。尚、上羽根８ｂとスタビライザ１１との間の結露防止機構も同様の機能・機構であるため、説明を省略する。
【００５９】
図６は下羽根８ａとリアガイダ７との間に設けた結露防止機構を拡大して示す縦断面図である。図６に示すように、リアガイダ７の案内面７ａの下流側端部には、下羽根８ａに対して僅かな所定の隙間を有して配置された軸受部１３が連続して、リアガイダ７を構成する本体２に対して可動自在に設けられている。軸受部１３は、断面が円弧状であるくぼみ形状を有する形で構成されている。また、この軸受部１３と本体２の間には弾性手段１８が長手方向略全長にわたって複数配設されている。この弾性手段１８はバネで構成しているが、スポンジなど弾性力のある樹脂の発泡材で構成しても構わない。
【００６０】
上下風向変更羽根８の羽根である下羽根８ａにおける上流端となる回動部分である駆動軸部８ａｂは、下羽根８ａを回動させる駆動軸に直交する断面形状が当該駆動軸を中心とする円弧状の外観を有している。この駆動軸部８ａｂは、軸受部１３のくぼみ形状のくぼみ面内に嵌り合うように収納配設されている。すなわち、軸受部１３のくぼみ面と下羽根８ａの駆動軸部８ａｂの外面とは僅かの所定の隙間を有して配設されており、軸受部１３のくぼみ面に対向して下羽根８ａの駆動軸部８ａｂが嵌り合っていて、従来例で述べたリアガイダと下羽根の上流端との間に生じる隙間を解消している。
【００６１】
また、上記軸受部１３のくぼみ面には、微細な突起部１７が略全長に渡り設けられ、下羽根８ａの駆動軸部８ａｂの外面と線接触している。なお、この突起部１７は、図６に示したように複数箇所であっても一箇所であってもよいものである。
【００６２】
さらに、上記軸受部１３は、下羽根８ａを形成する材料、例えばポリスチレン（ＰＳ）などとは異なり、ポリアセタール（ＰＯＭ）など摺動特性に優れた樹脂材料で形成されている。ただし、下羽根８ａを形成する材料が摺動特性に優れた樹脂材料の場合は、軸受部１３は、ＰＳなどで形成しても構わない。
【００６３】
次に、上記のように構成された結露防止機構における作用について説明する。実施の形態１の空気調和機において、空調運転時（冷房運転時）、ファン６の下流側に配置されたリアガイダ７の案内面７ａに沿ってファン６からの空気が流れる。リアガイダ７に沿って流れた空気は、上下風向変更羽根８の下羽根８ａの吹出面８ａａに案内されて、吹出口２ｃから吹き出される。このときの吹き出される空気の流れを図６における白抜き矢印にて示す。
【００６４】
上記のように、ファン６からの空気がリアガイダ７から下羽根８ａの吹出面８ａａに流れるとき、下羽根８ａにおける回動部分である駆動軸部８ａｂとリアガイダ７との間には軸受部１３が設けてあるから、これら両者の間には従来例で述べたような大きな隙間がないので冷気の入り込みを防止でき、また下羽根８ａの駆動軸部８ａｂと軸受部１３との間の隙間１２には、僅かではあるが空気（冷気）が流れ込もうとするが、軸受部１３のくぼみ面と下羽根８ａの駆動軸部８ａｂの外面とは僅かな隙間であるため、隙間１２への空気（冷気）の流入を抑制することができる。したがって、リアガイダ７と下羽根８ａの上流端との間に冷気が流れ込んで生じる吹出口近傍の結露の発生を抑制することができる。しかも上記リアガイダ７の案内面７ａの下流側端部に設けた軸受部１３はくぼみ形状を有していて下羽根８ａの駆動軸部８ａｂの回動軸受部となっているから、下羽根８ａの回動の妨げとなることがなく、下羽根８ａの回動性を確保しつつ吹出口近傍の結露発生を抑制することができる。また、この実施の形態では、上記軸受部１３のくぼみ面に、微細な突起部１７を略全長に渡って設け、下羽根８ａの駆動軸部８ａｂの外面と線接触させているの
で、隙間１２の完全なシール性が確保できて、隙間１２への空気（冷気）の流入を確実に防止することができ、より確実に吹出口近傍の結露発生を抑制することができる。
【００６５】
さらに上記軸受部１３は、摺動特性に優れた樹脂材料で形成しているため、下羽根８ａと接触させても、下羽根８ａは滑らかに回動させることができるとともに、耐久信頼性も向上する。
【００６６】
加えて上記軸受部１３と本体２の間に弾性手段１８を複数配設しているので、隙間１２が拡大することを防止でき、より確実なシールが可能となって、吹出口近傍の結露を防止することができる。すなわち、上記下羽根８ａは樹脂材で形成された左右に長い形状のため、駆動軸部８ａｂは僅かながら変形が発生する。また、下羽根８ａが上下に回動したときなど、隙間１２の寸法が一定でなくなる現象が発生する。しかしながら、この実施の形態で例示したように、軸受部１３と本体２の間に弾性手段１８を複数配設したことで、隙間１２が拡大することを防止でき、そのため、シール性が確保できて、冷房運転時の吹出口近傍の結露を長期間にわたって確実に防止することができる。
【００６７】
（実施の形態４）
本発明の実施の形態４の空気調和機における結露防止機構について図７を用いて説明する。図７は、本発明の実施の形態４の空気調和機における結露防止機構である段差７１近傍を拡大して示す縦断面図である。図７に示す空気調和機は、最大風量形成状態である、リアガイダ７から上下風向変更羽根８への風路抵抗が最小の時の動作例を示している。前記と同様な作用のため、スタビライザ１１から上下風向変更羽根８への動作例は省略する。
【００６８】
図７に示すように、実施の形態１におけるリアガイダ７の最下流端近傍には、結露防止機構として段差７１が形成されている。図７に示すリアガイダ７の案内面７ａの上流部分は、図４に示したリアガイダ７の案内面７ａの上流部分と同一の形状を有している。即ち、案内面７ａの上流部分においては、空気の流れる方向は実質的に同一方向である。実施の形態１におけるリアガイダ７の最下流端近傍には段差７１が設けられており、段差７１より上流側の第１の段差吹出面７０では、第１の吹き出し方向Ｇ１より上向きの傾斜面が形成されている。即ち、リアガイダ７の上流部分の案内面７ａから連続する第１の段差吹出面７０に沿って吹き出される空気の流れは、第１の吹き出し方向Ｇ１より上方向となる。傾斜面である第１の段差吹出面７０は、例えば、気流の方向に沿って切断した断面形状が曲線又は直線等の任意の形状で形成される。なお、リアガイダ７の最下流端近傍とは、リアガイダ７の最下流端７ｃから所定の距離で形成されるリアガイダ７の案内面７ａの下流部分を意味する。所定の距離は、段差７１を設けることによって形成された第１の段差吹出面７０から吹き出された空気が、少なくとも冷房運転時において下羽根８ａとリアガイダ７との間の隙間１２の上方向を流れるよう設定される。
【００６９】
以上のように、実施の形態４の空気調和機においては、リアガイダ７の上流部分の案内面７ａに沿って流れる気流が段差７１によって形成された第１の段差吹出面７０によって、第１の吹き出し方向Ｇ１より上方向に吹き出される。なお、第１の段差吹き出し面７０に沿って吹き出される気流の方向を第２の吹き出し方向Ｇ２と定義する。
【００７０】
また、実施の形態４の空気調和機は、第２の段差吹出面７２が形成されている。第２の段差吹出面７２とは、段差７１より下流側の案内面である。第２の段差吹出面７２もまた、リアガイダ７の案内面７ａ（第１の吹き出し方向Ｇ１）より上向きの傾斜面を有している。この傾斜面は、例えば、気流に沿って切断した断面形状が曲線又は直線等の任意の形状で形成される。したがって、第２の段差吹出面７２に沿って案内される空気は、第１の吹き出し方向Ｇ１より上方向に向かって流れる。なお、第２の段差吹き出し面７２に沿っ
て流れる気流の方向を第３の吹き出し方向Ｇ３と定義する。実施の形態１においては、第１の吹き出し方向Ｇ１に対する第２の吹き出し方向Ｇ２及び第３の吹き出し方向Ｇ３は、同じ方向となるよう構成されたもので説明するが、本発明はこの構成に限定されるものではなく、傾斜角度及び／又は形状が異なる構成でもよい。例えば、第２の段差吹出面７２の傾斜を第１の段差吹出面７０の傾斜より大きくして、第２の段差吹出面７２から吹き出される気流の方向（第３の吹き出し方向Ｇ３）を第１の段差吹出面７０から吹き出される気流の方向（第２の吹き出し方向Ｇ２）より上向きにしてもよい。第２の段差吹出面７２からの吹き出し方向をさらに上向きにすることによって、リアガイダと羽根との間の隙間に空気が流入することを防止し、冷房運転時における吹出口近傍での結露の発生を確実に防止することができる。また、例えば、第２の段差吹出面７２の形状を曲面で形成し、第１の段差吹出面７０を平面で形成してもよい。
【００７１】
段差７１の高さ、即ち第１の段差吹出面７０と第２の段差吹出面７２との高低差は、例えば、０．５ｍｍ〜１ｍｍの範囲であるのが好ましい。ここで、高低差とは、第１の段差吹出面７０と第２の段差吹出面７２のそれぞれに直交する方向の距離を意味する。段差７１の高さが０．５ｍｍより小さい場合には、図３及び図４に示すような冷房運転時において、第１の段差吹出面７０から吹き出される空気が、リアガイダ７と下羽根８ａとの間の隙間１２へ流入することを抑制できず、結露を防止することが困難である。一方、段差７１の高さが１ｍｍより大きい場合には、第１の段差吹出面７０から吹き出される空気が、リアガイダ７と下羽根８ａとの間の隙間１２へ流入することを抑制できるが、段差７１による風路抵抗が増大するため、送風効率が低下する。
【００７２】
なお、上羽根８ｂとスタビライザ１１との間の結露防止機構については説明を省略したが、上羽根８ｂとスタビライザ１１との間の結露防止機構は、下羽根８ａとリアガイダ７との間の結露防止機構とは、実施の形態１と同様に、上下対称に設けられている。
【００７３】
（実施の形態５）
実施の形態５の空気調和機には、上下風向変更羽根８の下羽根８ａ、上羽根８ｂに、吹出口２ｃから吹き出された空気が、下羽根８ａ、上羽根８ｂの長手方向に拡散して、送風性能が悪化しないように側壁２０が設けられている。
【００７４】
図８は、上下風向変更羽根８の下羽根８ａに側壁２０（２０ａ、２０ｂ）が設けられた状態を示す斜視図である。上羽根８ｂにも、同様な側壁が設けられているため、図については省略する。また、以下、下羽根８ａについてのみ、機能・機構を説明するが、上羽根８ｂについても同様な作用ができる。
【００７５】
側壁２０は下羽根８ａの両側に空気が流れる方向に設けられており、その高さ方向の断面形状は、特に上流部分において上流から下流に従って徐々に断面積が大きくなるような形状となっている。これによって、空気が流れる際に側壁２０の厚みが大きな抵抗とならないようになっている。
【００７６】
側壁２０が下羽根８ａの両側に設けられたことで、特に上下風向変更羽根８が最大風量時において、リアガイダ７から下羽根８ａの吹出面８ａａに連続して流れる空気が下羽根８ａの長手方向両側に漏れ出ることなく、下流方向に流れるため、ディフーザとしての機能をより強化されることとなり、送風性能が向上して同一風量を実現するのに必要なファン６を駆動するモータへの入力を減らせるので省エネルギーであると同時に、空間での空気の到達性も向上する。よって快適な空調が実現できる。
【００７７】
なお側壁２０は下羽根８ａの長手方向に回動可能としてもよく、左右風向変更羽根９が、吹出口２ｃから吹き出される空気の吹き出し方向を左右方向に変更するのに合わせて当
該側壁２０を左右方向に回動させることによって、側壁２０による左右への吹き分けが妨げられるのを防止でき、より快適な空調が可能となる。
【００７８】
また、側壁２０の高さは必ずしも均一の高さである必要はなく、運転停止時の収納性を考慮して、あるいは送風性能をさらに向上させることを考慮して、上流から下流にかけて、高さや幅が変化しても良いし、下羽根８ａの両端の左右両方ではなく、いずれか片方にだけであっても良い。また、以上の構成は、上下対称に構成すれば、上羽根８ｂにも同様に構成できる。
【００７９】
なお、本発明の空気調和機としては、前述の実施の形態１から実施の形態５の構成に限定されるものではなく、実施の形態１から実施の形態５の構成で示した本発明の技術的思想は、その他種々の態様で実施可能である。
【００８０】
例えば、実施の形態１から実施の形態５の空気調和機は、暖房と冷房を兼用する空気調和機であるが、冷房機の専用機であっても当然適用可能である。また、実施の形態１から実施の形態５においては室内機と室外機が別体のセパレート型であるが、圧縮機、凝縮機及び蒸発機等が一体となった一体型空気調和機に対しても適用可能な構成である。さらに、本発明においては、室内機として壁掛け式に特定されるものではなく、床置き式等においても、空気の吹出口における上下風向変更羽根を同様の技術的思想により変形して対応することが可能である。
【産業上の利用可能性】
【００８１】
本発明の空気調和機は、冷房運転時の結露を防止して、吹出口からの空気を所望の領域に到達するように吹き出すことが可能な構成であり、且つ吹出口からの空気に対して高い整流効果を発揮することができるため、業務用及び一般家庭等で使用される空気調和機として有用である。
【符号の説明】
【００８２】
１  室内機
２  本体
２ａ  前面開口部
２ｂ  上面開口部
２ｃ  吹出口
３  前面パネル
４  フィルタ
５  熱交換器
６  ファン
７  リアガイダ
８  上下風向変更羽根
８ａ  下羽根（第１の羽根）
８ｂ  上羽根（第２の羽根）
９  左右風向変更羽根
１０  通風路
１１  スタビライザ
１２  隙間
１３  軸受部
１７  突起部
１８  弾性手段
２０  側壁
【図１】
2015055419.tif 000003
【図２】
2015055419.tif 000004
【図３】
2015055419.tif 000005
【図４】
2015055419.tif 000006
【図５】
2015055419.tif 000007
【図６】
2015055419.tif 000008
【図７】
2015055419.tif 000009
【図８】
2015055419.tif 000010